(57)【要約】【課題】サブアドレスを利用して、移動中継端末を介して、基地局のサービスエリア外にいる移動局を発呼する場合に、コールバックを可能とした無線通信システム及び方法を提供する。【解決手段】統制局１が、サービスエリア外の移動局２ｂを発呼するときには、移動中継端末３の個別番号を発信先番号「Ｃ」とし、移動局２ｂの個別番号「Ｂ」をサブアドレスとして発呼する。移動中継端末３は、発呼を受け付けると、そのサブアドレスの番号「Ｂ」の移動局２ｂへの中継処理を行う。また、移動局２ｂに中継処理を行う際に、発信元番号として移動中継端末３の個別番号「Ｄ」を送り、サブアドレスとして、発呼のあった発信元の統制局１の個別番号「Ａ」を送る。これにより、中継先の移動局２ｂは、発呼を行った統制局１へのコールバックすることが可能になる。【選択図】図２
2009239789.tif 000002
【特許請求の範囲】
【請求項１】
基地局と移動局との間の通信を行う無線通信システムであって、
前記基地局と、前記基地局のサービスエリア外にある移動局との通信を確保する移動中継端末を備え、
前記移動中継端末は、前記基地局又は前記サービスエリア外にある移動局のいずれか一方から他方に対する発呼を受け付けると、そのサブアドレスに設定された前記他方の個別番号への中継処理を行うと共に、発信元番号として前記移動中継端末の個別番号を設定し、発呼した前記一方の個別番号をサブアドレスとして設定することを特徴とする無線通信システム。
【請求項２】
基地局と移動局との間の通信を行う無線通信システムに、前記基地局と、前記基地局のサービスエリア外にある移動局との通信を確保する移動中継端末を設置した無線通信システムの中継方法であって、
前記移動中継端末は、
前記基地局又は前記サービスエリア外にある移動局のいずれか一方から他方に対する発呼を受け付けるステップと、
受け付けた発呼に基づいて、そのサブアドレスに設定された前記他方の個別番号への中継処理を行うステップと、
前記受け付けた発呼に基づいて、発信元番号として前記移動中継端末の個別番号を設定するとともに、発呼した前記一方の個別番号をサブアドレスとして設定するステップとを含むことを特徴とする無線通信システムの中継方法。
【発明の詳細な説明】
【技術分野】
【０００１】
本発明は、移動中継端末を介して基地局のサービスエリア外にある移動局との通信を可能とした無線通信システム及び無線通信システムの中継方法に関する。
【背景技術】
【０００２】
回線制御装置と複数の基地局とからなる制御局と、複数の移動局とから構成され、移動局と基地局との通信、及び基地局を介した移動局相互の通信を行う無線通信システムで、統制局又は基地局のサービスエリア内にある移動局と、基地局のサービスエリア外にある移動局との通信を確保するために、移動中継端末を設置し、サブアドレスを利用して、移動中継端末を介して、基地局のサービスエリア外にいる移動局に発呼するものが提案されている。
【０００３】
このような通信システムでは、移動中継端末は、基地局通信用移動局と、直接通信用移動局とを有しており、発呼を受けると、そのサブアドレスの番号への中継処理を行う。なお、サブアドレスは、個別番号の他に、遠隔制御機器、ファクシミリ、データ端末等を指定するために用いられているものであり、サブアドレスを転送に用いる例としては、例えば、特許文献１に記載されている。
【特許文献１】特開平６−１３３０５４号公報
【発明の開示】
【発明が解決しようとする課題】
【０００４】
ところが、上述のように、サブアドレスを用いて、移動中継端末を介して、サービスエリア外にある移動局を発呼すると、以下のように、発呼を行った局にコールバックが行えないという問題が生じる。
【０００５】
つまり、図３に示すように、統制局１０１の個別番号を「Ａ」とし、移動局１０２の個別番号を「Ｂ」として、移動中継端末１０３の基地局通信用移動局１０４の個別番号を「Ｃ」とし、移動中継端末１０３の直接通信用移動局１０５の個別番号を「Ｄ」とする。
【０００６】
統制局１０１が移動中継端末１０３を介して移動局１０２を発呼するときには、統制局１０１は、発信先番号を移動中継端末１０３の基地局通信用移動局１０４の個別番号「Ｃ」とし、サブアドレスを移動局１０２の個別番号「Ｂ」として発呼する。また、この際、発信元番号として、発信元の統制局１０１の個別番号を「Ａ」とする。
【０００７】
移動中継端末１０３は、統制局１０１からの発呼を受けると、そのサブアドレスの番号への中継処理を行う。図３に示すように、例えば、統制局１０１が、移動中継端末１０３の個別番号を発信先番号「Ｃ」とし、移動局１０２の個別番号「Ｂ」をサブアドレスとして発呼した場合には、サブアドレスは移動局１０２の個別番号「Ｂ」となっているので、移動中継端末１０３は、個別番号「Ｂ」の移動局１０２を発信先番号として発呼する。このとき、移動中継端末１０３が移動局１０２に発呼する際の発信元番号として、移動中継端末１０３の直接通信用移動局１０５の個別番号「Ｄ」を送る。
【０００８】
これにより、個別番号「Ａ」の統制局１０１は、移動中継端末１０３を介して、個別番号「Ｂ」の移動局１０２を発呼したことになり、サービスエリア外にある移動局１０２を、移動中継端末１０３を介して発呼できたことになる。
【０００９】
ところが、この場合、移動中継端末１０３が移動局１０２に発呼する際に、発信元番号として、移動中継端末１０３の直接通信用移動局１０５の個別番号「Ｄ」を送っている。したがって、移動局１０２がコールバックするときには、移動局１０２は、発信元番号として送られてきた移動中継端末１０３の直接通信用移動局１０５の個別番号「Ｄ」にコールバックすることになる。このコールバックは、発呼を中継した移動中継端末１０３へのコールバックであり、発呼を行った統制局１０１へのコールバックにはならない。
【００１０】
上述の課題を鑑み、本発明は、サブアドレスを利用して、移動中継端末を介して、基地局のサービスエリア外にある移動局を発呼する場合に、移動局からのコールバックを可能とした無線通信システム及び無線通信システムの中継方法を提供することを目的とする。
【課題を解決するための手段】
【００１１】
上述の課題を解決するために、本発明は、基地局と移動局との間の通信を行う無線通信システムであって、前記基地局と、前記基地局のサービスエリア外にある移動局との通信を確保する移動中継端末を備え、前記移動中継端末は、前記基地局又は前記サービスエリア外にある移動局のいずれか一方から他方に対する発呼を受け付けると、そのサブアドレスに設定された前記他方の個別番号への中継処理を行うと共に、発信元番号として前記移動中継端末の個別番号を設定し、発呼した前記一方の個別番号をサブアドレスとして設定することを特徴とする無線通信システムである。
【００１２】
また、本発明は、基地局と移動局との間の通信を行う無線通信システムに、前記基地局と、前記基地局のサービスエリア外にある移動局との通信を確保する移動中継端末を設置した無線通信システムの中継方法であって、前記移動中継端末は、前記基地局又は前記サービスエリア外にある移動局のいずれか一方から他方に対する発呼を受け付けるステップと、受け付けた発呼に基づいて、そのサブアドレスに設定された前記他方の個別番号への中継処理を行うステップと、前記受け付けた発呼に基づいて、発信元番号として前記移動中継端末の個別番号を設定するとともに、発呼した前記一方の個別番号をサブアドレスとして設定するステップとを含むことを特徴とする無線通信システムの中継方法である。
【発明の効果】
【００１３】
本発明によれば、移動中継端末が中継処理を行う際に、発信元番号として移動中継端末の個別番号を中継先に送り、サブアドレスとして発呼があった発信元の個別番号を中継先に送ることで、中継先の移動局は、発呼を行った局にコールバックすることが可能になる。
【発明を実施するための最良の形態】
【００１４】
以下、本発明の実施の形態について図面を参照しながら説明する。図１において、１は統制局、２ａ、２ｂは移動局、３は移動中継端末である。
【００１５】
統制局１は、回線制御装置１１と、複数の基地局１２ａ、１２ｂ、１２ｃとから構成される。回線制御装置１１は、他の移動局や有線端末１３との間の回線接続を行っている。基地局１２ａ、１２ｂ、１２ｃは、各局のサービスエリアの範囲にある移動局２ａと無線通信を行っている。
【００１６】
移動局２ａ、２ｂは、基地局１２ａ、１２ｂ、１２ｃを介して無線通信を行っている。基地局１２ａ、１２ｂ、１２ｃのサービスエリア内にある移動局２ａは、基地局１２ａ、１２ｂ、１２ｃを介して通信が行える。
【００１７】
移動中継端末３は、基地局１２ａ、１２ｂ、１２ｃのサービスエリア外にある移動局２ｂとの通信を確保するものである。移動中継端末３は、基地局通信用移動局３１と、直接通信用移動局３２とを有している。基地局通信用移動局３１は、基地局１２ａ、１２ｂ、１２ｃと移動中継端末３との間の通信を行う。直接通信用移動局３２は、サービスエリア外にある移動局２ｂとの間の通信を行う。
【００１８】
図１では、移動局２ａは、基地局１２ａ、１２ｂ、１２ｃのサービスエリア内にあり、移動局２ａは、移動中継端末３を介することなく、基地局１２ａ、１２ｂ、１２ｃを介して、直接、統制局１と無線通信が行える。これに対して、移動局２ｂは、基地局１２ａ、１２ｂ、１２ｃのサービスエリア外にあり、基地局１２ａ、１２ｂ、１２ｃとは直接無線通信は行えない。このため、移動局２ｂは、移動中継端末３を介して、統制局１と通信を行うことになる。
【００１９】
次に、本発明の実施形態において、統制局１が基地局１２ａ、１２ｂ、１２ｃのサービスエリア外の移動局２ｂを発呼するときの処理について説明する。
【００２０】
サービスエリア外の移動局を発呼するときには、発信側の局は、移動中継端末の個別番号を発信先番号とし、移動局の個別番号をサブアドレスとして発呼する。
【００２１】
例えば、統制局１が、基地局１２ａ、１２ｂ、１２ｃのサービスエリア外の移動局２ｂを発呼するときには、統制局１は、移動中継端末３の個別番号を発信先番号とし、移動局２ｂの個別番号をサブアドレスとして発呼する。
【００２２】
移動中継端末３は、発呼を受けると、そのサブアドレスの番号への中継処理を行う。例えば、統制局１が、移動中継端末３の個別番号を発信先番号とし、移動局２ｂの個別番号をサブアドレスとして発呼したとする。この場合には、サブアドレスは移動局２ｂの個別番号となっているので、移動中継端末３は移動局２ｂに対して中継処理を行う。これにより、統制局１と移動局２ｂとが移動中継端末３を介して接続されることになる。
【００２３】
そして、本発明の実施形態では、移動中継端末３がサブアドレスで指定される移動局に中継処理を行う際に、発信元番号として移動中継端末３の個別番号を送り、サブアドレスとして、発呼のあった発信元の個別番号を送るようにしている。例えば、上述のように、移動中継端末３が移動局２ｂに発呼する際に、移動中継端末３が移動局２ｂに、発信元番号として移動中継端末３の直接通信用移動局３２の個別番号を送り、サブアドレスとして、発呼のあった発信元（ここでは統制局１）の個別番号を送るようにしている。
【００２４】
つまり、図２に示すように、統制局１の個別番号を「Ａ」とし、移動局２ｂの個別番号を「Ｂ」として、移動中継端末３の基地局通信用移動局３１の個別番号を「Ｃ」とし、移動中継端末３の直接通信用移動局３２の個別番号を「Ｄ」とする。
【００２５】
統制局１が移動局２ｂを発呼するときには、統制局１は、発信先番号を移動中継端末３の基地局通信用移動局３１の個別番号「Ｃ」とし、サブアドレスを移動局２ｂの個別番号「Ｂ」として発呼する。また、この際、発信元番号として、統制局１の個別番号を「Ａ」とする。
【００２６】
移動中継端末３は、発呼を受けると、そのサブアドレスの番号への中継処理を行う。図２に示すように、例えば、統制局１が、移動中継端末３の個別番号を発信先番号「Ｃ」とし、移動局２ｂの個別番号「Ｂ」をサブアドレスとして発呼した場合には、サブアドレスは移動局２ｂの個別番号「Ｂ」となっているので、移動中継端末３は移動局２ｂに対して中継処理を行う。このとき、移動中継端末３が移動局２ｂに発呼する際に、移動中継端末３は移動局２ｂに、発信元番号として移動中継端末３の直接通信用移動局３２の個別番号「Ｄ」を送り、サブアドレスとして、発呼のあった発信元の個別番号、ここでは統制局１の個別番号「Ａ」を送る。
【００２７】
このようにすると、発呼を受けた移動局２ｂは、そのサブアドレスを参照することにより、発呼のあった発信元（ここでは統制局１）に対して、コールバックできる。
【００２８】
つまり、上述のように、発信元番号として移動中継端末３の個別番号「Ｄ］が送られ、サブアドレスとして、統制局１の個別番号「Ａ」が送られてくると、発呼を受けた移動局２ｂは、コールバックの際には、発信先番号を移動中継端末３の直接通信用移動局３２の個別番号「Ｄ」とし、サブアドレスを統制局１の個別番号「Ａ」として、コールバックすることになる。
【００２９】
この場合、移動局２ｂからのコールバックは、発信先番号を移動中継端末３の直接通信用移動局３２の個別番号「Ｄ」としているので、移動中継端末３が発呼される。移動中継端末３は、移動局２ｂからの発呼を受けると、そのサブアドレスの番号への中継処理を行う。ここでは、サブアドレスは統制局１の個別番号「Ａ」となっているので、移動中継端末３は統制局１に対して中継処理を行う。これにより、移動局２ｂは、発呼のあった発信元である統制局１にコールバックできたことになる。
なお、統制局１へのコールバックのときにも、移動中継端末３は、統制局１への発呼の際に、発信先番号を「Ａ」とし、発信元番号を「Ｃ」、サブアドレスを「Ｂ」とする。これにより、統制局１と移動局２ｂとの間で、相互にコールバックが可能となる。
【００３０】
以上説明したように、本発明の実施形態では、移動中継端末が中継処理を行う際に、発信元番号として移動中継端末の個別番号を中継先に送り、サブアドレスとして発呼があった発信元の個別番号を中継先に送ることで、中継先の移動局は、発呼を行った局にコールバックすることが可能になる。
【００３１】
本発明は、上述した実施形態に限定されるものではなく、本発明の要旨を逸脱しない範囲内で様々な変形や応用が可能である。
【図面の簡単な説明】
【００３２】
【図１】本発明の一実施形態の無線通信システムの構成を示すブロック図である。
【図２】本発明の一実施形態の無線通信システムの動作の説明図である。
【図３】移動中継端末を介して基地局のサービスエリア外にいる移動局との通信を行う従来の無線通信システムの動作の説明図である。
【符号の説明】
【００３３】
１：統制局
２ａ、２ｂ：移動局
３：移動中継端末
１１：回線制御装置
１２ａ、１２ｂ、１２ｃ：基地局
１３：有線端末
３１：基地局通信用移動局
３２：直接通信用移動局
【図１】
2009239789.tif 000003
【図２】
2009239789.tif 000004
【図３】
2009239789.tif 000005